(57)【特許請求の範囲】
【請求項１】
生体適合性を有する薄膜と第１の支持体から構成される薄膜シートを、前記生体適合性を有する薄膜に機能性材料を印刷する装置の内部に送り込む薄膜シート送り込み部と、
前記生体適合性を有する薄膜に機能性材料を印刷するためのメイク情報を読み込む制御部と、
前記制御部からの前記メイク情報にもとづいて、前記メイク情報に対応した機能性材料を、前記生体適合性を有する薄膜の上に印刷する印刷部と、
第２の支持体を前記生体適合性を有する薄膜に機能性材料を印刷する装置の内部に送り込む第２の支持体送り込み部と、
前記印刷部で前記機能性材料を印刷された生体適合性を有する薄膜である薄膜印刷体を、前記第１の支持体から前記第２の支持体に転載する転載部と、
前記第２の支持体に転載された前記薄膜印刷体を、前記生体適合性を有する薄膜に機能性材料を印刷する装置の外部に送り出す薄膜印刷体送り出し部と、を備える生体適合性を有する薄膜に機能性材料を印刷する装置。
【請求項２】
前記薄膜シート送り込み部は、前記第１の支持体にのみ触れるローラを回転させることにより、前記薄膜シートを前記装置の内部に送り込む、請求項１に記載の生体適合性を有する薄膜に機能性材料を印刷する装置。
【請求項３】
前記薄膜シートを湿潤させる湿潤部を、さらに備える請求項１または２に記載の生体適合性を有する薄膜に機能性材料を印刷する装置。
【請求項４】
前記湿潤部は、水蒸気または水溶性液体を吹き付けて、前記薄膜シートを湿潤させる請求項３に記載の生体適合性を有する薄膜に機能性材料を印刷する装置。
【請求項５】
前記湿潤部は、水または水溶性液体に浸水させることで、前記薄膜シートを湿潤させる請求項３に記載の生体適合性を有する薄膜に機能性材料を印刷する装置。
【請求項６】
前記湿潤部は、印刷部よりも後段に備えられている、請求項３から５のいずれか１項に記載の生体適合性を有する薄膜に機能性材料を印刷する装置。
【請求項７】
前記印刷部は、ユーザーの情報にもとづき、前記機能性材料を、前記生体適合性を有する薄膜の一部に印刷する、請求項１から６のいずれか１項に記載の生体適合性を有する薄膜に機能性材料を印刷する装置。
【請求項８】
前記印刷部は、さらに貼着時にユーザーの助けとなる位置決めシンボルを、前記生体適合性を有する薄膜の一部に印刷する、請求項７に記載の生体適合性を有する薄膜に機能性材料を印刷する装置。
【請求項９】
前記転載部は、前記薄膜印刷体の前記機能性材料が印刷された面が、前記第２の支持体に接するように転載する、請求項１から８のいずれか１項に記載の生体適合性を有する薄膜に機能性材料を印刷する装置。
【請求項１０】
前記転載部において、前記第１の支持体と前記薄膜との間の界面の密着力Ａと、メイク情報が印刷された前記薄膜表面と前記第２の支持体との間の界面との密着力Ｂとが、Ａ＜Ｂの関係である、請求項１から９のいずれか１項に記載の生体適合性を有する薄膜に機能性材料を印刷する装置。
【請求項１１】
前記転載部において、メイク情報が印刷された前記薄膜表面と前記第２の支持体との間の界面との密着力Ｂと、前記薄膜と薄膜印刷体を転写する肌との間の密着力Ｃとが、Ｂ＜Ｃの関係である、請求項１から１０のいずれか１項に記載の生体適合性を有する薄膜に機能性材料を印刷する装置。
【請求項１２】
前記薄膜または前記薄膜印刷体を所望の形状にカットするカット部を、さらに備える、請求項１から１１のいずれか１項に記載の生体適合性を有する薄膜に機能性材料を印刷する装置。
【請求項１３】
前記メイク情報には、ユーザー毎の肌の色に最適化された肌色補正機能を含む、請求項１から１２のいずれか１項に記載の生体適合性を有する薄膜に機能性材料を印刷する装置。
【請求項１４】
前記生体適合性を有する薄膜に印刷される前記機能性材料を供給するタンクを、さらに備える請求項１から１３のいずれか１項に記載の生体適合性を有する薄膜に機能性材料を印刷する装置。
【請求項１５】
前記生体適合性を有する薄膜に転写される前記機能性材料を保持するリボンを、さらに備える請求項１から１３のいずれか１項に記載の生体適合性を有する薄膜に機能性材料を印刷する装置。
【請求項１６】
生体適合性を有する薄膜と第１の支持体から構成される薄膜シートを、前記生体適合性を有する薄膜に機能性材料を印刷する装置の内部に送り込む薄膜シート送り込みステップと、
前記生体適合性を有する薄膜に機能性材料を印刷するためのメイク情報を読み込むステップと、
制御部からの前記メイク情報にもとづいて、前記メイク情報に対応した機能性材料を、前記生体適合性を有する薄膜の上に印刷する印刷ステップと、
第２の支持体を前記生体適合性を有する薄膜に機能性材料を印刷する装置の内部に送り込む第２の支持体送り込みステップと、
印刷部で前記機能性材料を印刷された生体適合性を有する薄膜である薄膜印刷体を、前記第１の支持体から前記第２の支持体に転載する転載ステップと、
前記第２の支持体に転載された前記薄膜印刷体を、前記生体適合性を有する薄膜に機能性材料を印刷する装置の外部に送り出す薄膜印刷体送り出しステップと、を備える生体適合性を有する薄膜に機能性材料を印刷する方法。
【発明の詳細な説明】
【技術分野】
【０００１】
本発明は、生体適合性を有する薄膜に、美容や医療等の分野で用いられる機能性材料を印刷する装置および印刷する方法に関する。
【背景技術】
【０００２】
近年、顔のメイクアップの仕方（以下、単に「メイク」という）の多様化が進んでいる。それにともない、無数の選択肢の中から適切なメイクを選択することは、特にメイクについての十分な知識を有さない人にとって、困難となってきている。あらゆるメイクを実際に試して判断および比較を行うことは、膨大な時間および手間を要するからである。【０００３】
そこで、メイクアップが行われたときの顔のシミュレーション画像を生成して提示する技術が、例えば、特許文献１および特許文献２に記載されている。これらに開示された技術（以下「従来技術」という）は、メイクアップの対象となる顔を撮影した画像を取得する。従来技術は、取得した画像に対して、口紅やチーク（頬紅）等を顔に施したときのメイクの状態を示す画像を重畳して、シミュレーション画像を生成する。そして、これらの従来技術においては、生成したシミュレーション画像を、表示装置に表示させる。【０００４】
これらの表示画像にもとづき、ユーザーは、実際にメイクアップを行って比較検討することなくメイクの良し悪しを判断することができ、より少ない時間および手間で適切なメイクを選択することが可能となる。【０００５】
しかしながら、そのようなシミュレーション画像により、自分にふさわしいメイクの提案を受けたとしても、実際に、そのようなメイクを自分自身に施すためには、特定の化粧剤や化粧道具、そしてある程度以上のメイク技術やメイク時間が必要となる。【０００６】
それによって、ユーザーによっては、提案を受けたメイクを自ら施すことが困難であったり、わざわざプロの美容師等にその実施を依頼しなければならない。【０００７】
そこで、本発明は、かかるシミュレーション装置による提案結果を出力する有効な手段として、メイク情報にもとづいた化粧剤等の機能性材料を、生体適合性を有する薄膜に印刷する装置を提供する。【０００８】
すなわち、本発明は、メイク情報にもとづいた機能性材料を、生体適合性を有する薄膜に印刷し、かかる生体適合性を有する薄膜を人体に貼着することで、個人にカスタマイズされたメイクや、流行のメイクを簡便に人体に施すことができる生体適合性を有する薄膜に機能性材料を印刷する装置と印刷する方法を提供するものである。
【先行技術文献】
【特許文献】
【０００９】
【特許文献１】特開２００１−３４６６２７号公報
【特許文献２】特開２００３−４４８３７号公報
【発明の概要】
【００１０】
本発明は、生体適合性を有する薄膜と第１の支持体から構成される薄膜シートを生体適合性を有する薄膜に機能性材料を印刷する装置の内部に送り込む薄膜シート送り込み部と、生体適合性を有する薄膜に機能性材料を印刷するためのメイク情報を読み込む制御部と、制御部からのメイク情報にもとづいて、メイク情報に対応した機能性材料を、生体適合性を有する薄膜の上に印刷する印刷部と、第２の支持体を生体適合性を有する薄膜に機能性材料を印刷する装置の内部に送り込む第２の支持体送り込み部と、印刷部で機能性材料を印刷された生体適合性を有する薄膜である薄膜印刷体を、第１の支持体から第２の支持体に転載する転載部と、第２の支持体に転載された薄膜印刷体を生体適合性を有する薄膜に機能性材料を印刷する装置の外部に送り出す薄膜印刷体送り出し部と、を備える生体適合性を有する薄膜に機能性材料を印刷する装置、である。
【００１１】
かかる構成によって、例えば、メイクについての十分な知識や技術を有さない人や、メイクに時間を取れない人にとっても、独力で、簡単、迅速かつ安全にメイクを施すことができる。
【図面の簡単な説明】
【００１２】
【図１】図１は、本発明の実施の形態１における印刷装置の外観を示す図である。
【図２】図２は、本発明の実施の形態１における印刷装置の内部構造を示す図である。
【図３】図３は、本発明の実施の形態１における印刷装置の構成を示す図である。
【図４Ａ】図４Ａは、本発明の実施の形態１における印刷装置の動作を示す図である。
【図４Ｂ】図４Ｂは、本発明の実施の形態１における印刷装置の動作を示す図である。
【図４Ｃ】図４Ｃは、本発明の実施の形態１における印刷装置の動作を示す図である。
【図４Ｄ】図４Ｄは、本発明の実施の形態１における印刷装置の動作を示す図である。
【図４Ｅ】図４Ｅは、本発明の実施の形態１における印刷装置の動作を示す図である。
【発明を実施するための形態】
【００１３】
（発明の基礎となった知見）
本発明は、メイク情報にもとづいた化粧剤等の機能性材料を、生体適合性を有する薄膜媒体に印刷し、かかる生体適合性を有する薄膜媒体を人体に貼着することで、個人にカスタマイズされたメイクや、流行のメイクを簡便に人体に施すことができるようにするための印刷装置と印刷方法を提供するものである。
【００１４】
それによって、例えば、メイクについての十分な知識や技術を有さない人や、メイクに時間を取れない人にとっても、簡単、迅速かつ安全にメイクを施すことができる。
【００１５】
しかしながら、機能性材料を印刷された生体適合性を有する薄膜である薄膜印刷体を作成する際には、以下の課題が考えられる。
【００１６】
まず、薄膜は、それ自身が人体に直接貼着されることから、人体に刺激や害のない生体適合性のある素材が利用されなければならない。そして、薄膜は、接着剤等を積層しなくても肌に密着するような付着性が求められる。
【００１７】
また、薄膜印刷体は、生体適合性を有する薄膜の人体への密着性を上げて、誰が操作しても肌へ良好に転写できる（すなわち、後述する密着力Ｂ＜密着力Ｃの関係を満たす）ことが求められる。
【００１８】
そして、皮脂などによる化粧崩れを低減し、化粧剤のもちを持続するために、人体側へは、薄膜印刷体の薄膜側を密着させるのが好ましい。
【００１９】
さらに、生体適合性を有する薄膜は、皮膚に貼ってあることを感じさせないほど薄い膜で、ナノメーターのオーダーの薄さのため、取り扱いには最大限の注意が必要である。例えば、そのようなナノメーターのオーダーゆえに、薄膜は乾燥しやすく、乾燥すると、薄膜の柔軟性が低下する。そこで、例えば、薄膜を乾燥状態から吸湿させると柔軟性が増すが、薄膜自身の剛性が低いので、面状態での保持が非常に困難である。例えば、水溶液中に漂わせ面状態を保持する方法もあるが、膜の貼り付けに対しては、不便を強いられる。
【００２０】
すなわち、本願発明においては、化粧剤等の機能性材料の印刷対象が薄くてデリケートな生体適合性を有する薄膜媒体であることによる、取り扱いの慎重さと化粧剤等の転写良好性、および薄膜印刷体の貼着先が、人体であることによる安全性を鑑み、化粧剤等の機能性材料を、生体適合性を有する薄膜に印刷可能な印刷装置を創作するに至ったものである。
【００２１】
以下、本発明の実施の形態について、図面を用いて詳細に説明する。
【００２２】
（実施の形態１）
図１は、本発明の実施の形態１における印刷装置１００の外観を示す図である。印刷装置１００は、メイク情報端末１４０に接続され、メイク情報を受け取ることができる。このとき、メイク情報端末１４０は、ユーザーに関するメイク情報を入力できる入力部や、ユーザー自身を撮影できるカメラ等を備えていてもよい。また、外部からメイク情報を得るためにネットワークに接続されていてもよい。
【００２３】
図２は、本発明の実施の形態１における印刷装置１００の内部構造を示す図である。薄膜シート送り込み部から送り込まれた薄膜シート１１０が、薄膜印刷体送り出し部１０７から薄膜印刷体１６０として送り出されるまでを、模式的に記載したものである。
【００２４】
ここでは、図３を用いて、本発明の実施の形態１にかかる印刷装置１００の構成を説明する。図３は、本発明の実施の形態１にかかる印刷装置１００の構成を示す図である。
【００２５】
印刷装置１００は、薄膜シート送り込み部１０１、湿潤部１０２、制御部１０３、印刷部１０４、第２の支持体送り込み部１０５、転載部１０６、薄膜印刷体送り出し部１０７とを備える。
【００２６】
薄膜シート送り込み部１０１は、印刷装置の外部から、薄膜シート１１０を印刷装置１００の内部に送り込むローラと駆動機構で構成される。
【００２７】
ここで、薄膜シート１１０は、化粧剤等の機能性材料を印刷する基盤となる生体適合性を有する薄膜１２０を、あらかじめ第１の支持体１３０に搭載したものであり、例えば、シール状やロール状の形態で提供される。
【００２８】
なお、かかる薄膜シート１１０において、生体適合性を有する薄膜１２０と第１の支持体１３０との間の界面（Ａ）は、例えば、静電気、化学吸着、物理吸着等により保持されている。また、薄膜シート１１０の第１の支持体１３０の表面は、例えば、親水性基を有する。
【００２９】
薄膜シート送り込み部１０１は、薄膜シート１１０上の生体適合性を有する薄膜１２０を傷つけないように、薄膜シート１１０の第１の支持体部位のみに触れるローラを回転させながら、薄膜シート１１０を巻き込み印刷装置１００の内部に送り込む。
【００３０】
このとき、薄膜シート１１０における生体適合性を有する薄膜１２０は、化粧剤や医療材料等の機能性材料を印刷させ、その後人体に貼着するためにふさわしい特性を持ったものであることが求められる。すなわち、薄膜自体が、人体に対して、刺激や有害性等の健康上の悪影響のない、生体に適合した安全な材料である。
【００３１】
さらに、生体適合性を有する薄膜１２０上の機能性材料１７０が印刷される側の面は、機能性材料１７０等を良好に定着させるとともに、機能性材料１７０等の成分を、反対側の人体に貼着させる面に透過させないことが望ましい。これによって、化粧剤等の人体へのダメージを極力小さくすることができる。
【００３２】
また、生体適合性を有する薄膜１２０上の人体に貼着させる面は、接着剤等の別の材料を必要としないでそれだけで肌に密着することができる付着性を有している。これによって、接着剤等による人体への害を防止できるとともに、生体適合性を有する薄膜１２０への接着層の付加工程をなくすことができ、薄膜印刷体１６０の製造を容易にすることができる。
【００３３】
かかる生体適合性を有する薄膜１２０は、印刷された化粧剤等の機能性材料１７０を担持するため、生体適合性を有する薄膜１２０と機能性材料１７０からなる薄膜印刷体１６０が、肌に押し付けられることにより、肌に転写されるようになっている。
【００３４】
ちなみに、このような薄膜には、例えば、生体適合性を有する高分子のナノシートを基盤としたナノ薄膜等を利用することができる。
【００３５】
湿潤部１０２は、例えば、水蒸気または水溶性液体を吹き付けたり、水または水溶性液体に浸水させることで、薄膜シート１１０を湿潤させる。なお、湿潤部１０２は、印刷部１０４における印刷前または印刷後、あるいは、印刷前と印刷後両方に設けられてもよいが、湿潤部１０２を備えなくとも、本実施の形態の効果を得ることは可能である。
【００３６】
ここで、例えば、水や水溶性液体との相溶性が悪く、上記成分が存在すると印刷しにくいような（乾燥状態で印刷し定着させやすいような）化粧剤および医療材料等の機能性材料を印刷するときには、湿潤部１０２による湿潤は、印刷後であることが望ましい。
【００３７】
また、薄膜印刷体１６０を作成して、すぐに肌へは転写しない場合には、印刷装置１００内部で薄膜印刷体１６０を保管しておく必要がある。先述のように、薄膜印刷体１６０はナノメーターのオーダーゆえに乾燥しやすいため、すぐに薄膜印刷体１６０を肌へ転写しない場合には、湿潤部１０２は、薄膜印刷体１６０の肌への転写直前に、乾燥して柔軟性の低下した薄膜を再度湿潤させるのに使用できる。それによって、ユーザーに時間の制約を与えず、薄膜印刷体１６０を使いたいときに使え、薄膜印刷体１６０を印刷したいときに印刷し、転写したいときに転写することができる。
【００３８】
制御部１０３は、生体適合性を有する薄膜１２０上に、機能性材料１７０等をどのような印刷として施すべきかについての印刷情報を生成するためのもので、外部の例えばメイク情報端末１４０との通信部と、信号処理部、記憶部等とを備える。生成された印刷情報は、印刷部１０４に対し、印刷信号（ヘッドの印刷動作のための制御信号）として発信される。
【００３９】
制御部１０３が通信を行うメイク情報端末１４０からは、印刷情報を生成する元となるメイク情報が提供される。かかるメイク情報とは、例えば、メイクアップの支援を受けたいユーザーに対して提案されたメイク内容を示す情報であり、例えば、メイク情報端末１４０におけるアプリケーションや、メイク情報端末１４０が接続されたサーバーからのクラウド的なサービスとして提供される。
【００４０】
印刷部１０４は、制御部１０３からの印刷信号にもとづき、薄膜シート１１０の生体適合性を有する薄膜１２０上に、化粧剤等の機能性材料１７０の印刷を施すヘッド機構を有する。かかる印刷部１０４においては、既知の印刷方式が採用され、例えば、バブル（商標登録）ジェット方式や熱昇華方式など、生体適合性を有する薄膜１２０上に化粧剤等の機能性材料１７０を良好に印刷することができれば、印刷方式は限定されない。
【００４１】
第２の支持体送り込み部１０５は、印刷装置１００の外部から、第２の支持体１５０を、印刷装置１００内部に供給するローラと駆動装置で構成される。ここで、第２の支持体１５０は、薄膜印刷体１６０を第１の支持体から転載する支持体であり、あらかじめシール状やロール状の形態で提供されるものである。なお、第２の支持体１５０の表面には、例えば、親水性を高める表面処理を行ったり、凹凸模様を有したり、温度応答性高分子を使用してもよい。また、電場等をかけて正負どちらか一方の濃度を高めたりしてもよい。
【００４２】
転載部１０６は、印刷部１０４によりメイク情報が機能性材料１７０として印刷された薄膜印刷体１６０を、第１の支持体１３０から第２の支持体１５０に、薄膜印刷体１６０を傷付けることなく転載させるものであり、例えば、ローラと駆動機構から構成される。このとき転載部１０６は、薄膜印刷体１６０の機能性材料１７０が印刷された面が、第２の支持体１５０に接するように転載する。
【００４３】
薄膜印刷体送り出し部１０７は、転載部１０６で作成された薄膜印刷体１６０を、必要に応じ、印刷装置１００の外に送り出すものであり、ローラと駆動装置で構成される。例えば、ユーザーの求めに応じて、シート状の薄膜印刷体１６０を繰り出し、ユーザーがそれを自分で貼着できるようにしてもよいし、この薄膜印刷体送り出し部１０７自体が脱着可能な構成となっていて、個人の顔に押し付ける等により薄膜印刷体送り出し部１０７から肌に直接、転写できるような機構としてもよい。
【００４４】
また、薄膜印刷体送り出し部１０７の前に、生体適合性を有する薄膜１２０または薄膜印刷体１６０を所望の形状にカットするためのカット部（図示せず）を備えてもよい。例えば、ルージュやアイシャドウなどの局部メイクのための薄膜印刷体１６０を、そのメイク箇所への転写に便利な形状に加工することで、より簡便なメイクを支援することができる。
【００４５】
さらに、印刷部１０４には、生体適合性を有する薄膜１２０に印刷される機能性材料１７０を供給するタンクを（図示せず）を備えてもよい。例えば、インクジェット方式の印刷部を採用すれば、液体状の機能性材料を保持し、供給することができる。同じく、印刷部１０４には、生体適合性を有する薄膜１２０に転写される機能性材料１７０を保持するリボンを（図示せず）を備えてもよい。例えば、熱転写方式の印刷部を採用すれば、粉状の機能性材料を保持し、供給することも可能になる。
【００４６】
以上の構成により、本実施の形態で生成された薄膜印刷体１６０を人体に貼り付ければ、メイク情報にもとづいて印刷された化粧剤が、肌の上に容易に貼着され、あたかもメイクを施したかのような視覚効果を生み、これによって、メイクについての十分な知識や技術を有さない人や、メイクに時間を取れない人にとっても、簡単、迅速かつ安全にメイクを施すことができる。
【００４７】
次に、図３と図４Ａ〜図４Ｅを用いて、本発明の実施の形態１にかかる印刷装置１００の動作を説明する。
【００４８】
図４Ａ〜図４Ｅは、本発明の実施の形態１における印刷装置の動作を示す図である。
【００４９】
まず、薄膜シート送り込み部１０１により、印刷装置１００の外部から薄膜シート１１０が、印刷装置１００の内部に供給される。
【００５０】
次に、生体適合性を有する薄膜１２０と第１の支持体１３０とで構成された薄膜シート１１０は、印刷部１０４に送られる。
【００５１】
ここで、印刷部１０４は、制御部１０３によって生成された印刷情報によって、外部からのメイク情報の内容に対応する機能性材料１７０を、生体適合性を有する薄膜１２０に印刷する。
【００５２】
このとき、制御部１０３は、印刷装置１００の外部の、例えば、メイク情報端末１４０と通信を行い、メイク情報を入手し、かかるメイクを実施するためにどのような印刷を生体適合性を有する薄膜１２０に施すべきかの印刷情報を生成し、印刷部１０４に対し、制御信号として送信する。
【００５３】
印刷部１０４は、かかる制御信号にもとづき、ヘッドを駆動し、生体適合性を有する薄膜１２０への機能性材料１７０の印刷を行う。
【００５４】
この結果、生体適合性を有する薄膜１２０に機能性材料１７０が積層された薄膜印刷体１６０が形成されるのである。
【００５５】
ここで、機能性材料１７０は、女性のメイクアップのための化粧剤だけでなく、医療やその他の分野において、求められる機能を発揮し得るあらゆる材料を選択することができる。
【００５６】
また、生体適合性を有する薄膜１２０の厚みは、１０ｎｍ以上１００００ｎｍ以下（１０ｎｍ以上１０μｍ以下）が好ましい。その中でも、特に、１０ｎｍ以上５００ｎｍ以下が好ましい。これは、皮膚への密着性が、試験の結果、５００ｎｍ以下で良好であったためである。
【００５７】
さらに、生体適合性を有する薄膜１２０の材料は、特に限定されない任意の薄膜を用いることができる。ここで、薄膜の材料としては、例えば、ポリグリコール酸、ポリ乳酸、ポリカプロラクトン、ポリエチレンサクシネート、ポリエチレンテレフタレートまたはこれらの共重合体に代表されるポリエステル類、ポリエチレングリコール、ポリプロピレングリコールに代表されるポリエーテル類、ナイロン、ポリグルタミン酸、ポリアスパラギン酸またはこれらの塩に代表されるポリアミド類、プルラン、セルロース、デンプン、キチン、キトサン、アルギン酸、ヒアルロン酸、コーンスターチに代表される多糖類またはこれらの塩、アクリルシリコーン、トリメチルシロキシケイ酸に代表されるシリコーン類、アクリル酸アルキル、アクリル酸シリコーン、アクリル酸アミドやこれらの共重合体に代表されるアクリル酸類、またはポリビニルアルコール、ポリウレタン、ポリカーボネート、ポリ酸無水物、ポリエチレン、ポリプロピレンが挙げることができる。
【００５８】
ここで、メイク情報とは、広く、美容や医療用途など、肌の上に貼着する生体適合性を有する薄膜１２０上に何らかの機能成分を担持した材料を印刷するための情報を意味しており、本実施例では、その一例としての化粧（メイク）を開示しているにすぎない。
【００５９】
例えば、美容の用途を考えれば、顔の一部や全部のメイクアップのための情報であり、一部のシミ等を隠すメイクから、本格的な顔全体のメイクまで広く意味する。しかしながら、機能性材料は、医療用等、他の分野の用途を考えれば、顔以外の部位に用いられるものであってもかまわない。
【００６０】
メイク情報は、さらに、メイク情報端末１４０に搭載されたアプリケーションや、ネットを経由したサーバーからのクラウドサービスとして、ユーザー個々人に最適化されたメイクを、分析して提供されたり、流行や特定の有名人のメイク等を施すための情報として提供されてもよい。
【００６１】
また、医療の用途を考えれば、アザや火傷等の傷跡を隠すような用途や、薬効成分を印刷して患部へ絆創膏のように利用する用途なども考えられる。
【００６２】
すなわち、利用分野にかかわらず、用途に応じた機能性成分を担持させることにより、広く必要とされる利用機能を、適宜追加できるものである。
【００６３】
その他にも、スポーツの応援や、テーマパークで顔に貼り付けるシールなども、自分で任意にデザインして印刷することなども可能である。
【００６４】
さらに、メイク情報端末１４０によって、ユーザーの顔等を撮影した画像情報から、その個々人の美容情報を分析し、化粧剤の印刷内容をカスタマイズし、例えば、その人の肌色に合わすような肌色補正機能を有することも可能である。
【００６５】
また、個人の顔情報を読み込んで、必要なところのみに有効成分（例えば、保湿剤、日焼け防止剤、美白剤等）を印刷することも可能である。
【００６６】
あわせて、ユーザーの顔の特徴点を抽出すれば、化粧剤の印刷とともに、貼着時にユーザーの助けとなる、位置決めシンボルなどを同時に印刷することもでき、さらに簡便なメイクを支援することができる。
【００６７】
印刷部１０４において、機能性材料１７０を印刷された薄膜シート１１０は、転載部１０６に送られる前に、湿潤部１０２によって、湿潤される。かかる湿潤が行われることにより、生体適合性を有する薄膜１２０の柔らかさが向上し、あわせて第１の支持体１３０と生体適合性を有する薄膜１２０の間の界面（Ａ）の密着力が低下させられる。
【００６８】
この湿潤部１０２があることで、後の転載部１０６における、第１の支持体１３０から第２の支持体１５０への薄膜印刷体１６０の転載が、より容易かつ確実に行われることになるのである。
【００６９】
そして、湿潤された、機能性材料１７０を印刷された薄膜シート１１０は、転載部１０６に送られる。ここで、あらかじめ第２の支持体送り込み部１０５により、印刷装置１００の外部から供給された第２の支持体１５０に、生体適合性を有する薄膜１２０上に機能性材料１７０が印刷された薄膜印刷体１６０部分のみが接するように転載される。
【００７０】
この転載の動作について、図４Ａ〜図４Ｅを用いて説明する。
【００７１】
転載部１０６では、第１の支持体１３０上の薄膜印刷体１６０の機能性材料１７０側に、第２の支持体１５０が密着させられる。
【００７２】
このとき、第１の支持体１３０と生体適合性を有する薄膜１２０の間の界面（Ａ）における密着力Ａと、メイク情報が印刷された生体適合性を有する薄膜１２０の表面と第２の支持体の界面（Ｂ）における密着力Ｂは、あらかじめＡ＜Ｂの関係となるように設定されている。そのため、薄膜印刷体１６０は、生体適合性を有する薄膜１２０側において第１の支持体１３０を離れ、機能性材料１７０側において第２の支持体１５０に密着し、この結果、薄膜印刷体１６０が第１の支持体１３０から第２の支持体１５０に良好に転載する。
【００７３】
この後、薄膜印刷体送り出し部１０７により、薄膜印刷体１６０が第２の支持体１５０に担持されたまま、印刷装置１００の外部に送り出される。
【００７４】
このとき、第２の支持体１５０とメイク情報が印刷された薄膜との界面（Ｂ）における密着力Ｂと、人体（肌）と生体適合性を有する薄膜１２０との間の界面（Ｃ）における密着力Ｃは、あらかじめＢ＜Ｃの関係になるように設定されている。そのため、薄膜印刷体１６０は、機能性材料１７０側において第２の支持体１５０を離れ、生体適合性を有する薄膜１２０側において肌に密着し、この結果、薄膜印刷体１６０が第２の支持体１５０から肌に良好に転写する。密着力の大小関係は、レオメーターやボンドテスターなどの装置を用いた定量評価であったり、薄膜印刷体を基材や肌に貼りあわせたときの薄膜印刷体の転写される割合を目視判定することで評価できる。
【００７５】
こうして、機能性材料１７０を印刷された生体適合性を有する薄膜１２０である薄膜印刷体１６０が、肌に転写され、メイクが完了する。
【００７６】
なお、薄膜印刷体送り出し部１０７は、単葉の薄膜印刷体を繰り出すだけでなく、脱着可能なモジュールとして、ここから肌への直接な転写を可能とする転写装置として構成してもよい。
【００７７】
最後に、上述の装置により、生体適合性を有する薄膜に機能性材料を印刷する方法について説明する。
【００７８】
かかる方法は、（１）生体適合性を有する薄膜と第１の支持体から構成される薄膜シートを、生体適合性を有する薄膜に機能性材料を印刷する装置の内部に送り込む薄膜シート送り込みステップと、（２）生体適合性を有する薄膜に機能性材料を印刷するためのメイク情報を読み込むステップと、（３）制御部からのメイク情報にもとづいて、メイク情報に対応した機能性材料を、生体適合性を有する薄膜の上に印刷する印刷ステップと、（４）第２の支持体を生体適合性を有する薄膜に機能性材料を印刷する装置の内部に送り込む第２の支持体送り込みステップと、（５）印刷部で機能性材料を印刷された生体適合性を有する薄膜である薄膜印刷体を、第１の支持体から第２の支持体に転載する転載ステップと、（６）第２の支持体に転載された薄膜印刷体を、生体適合性を有する薄膜に機能性材料を印刷する装置の外部に送り出す薄膜印刷体送り出しステップと、からなる。
【００７９】
ここで、（３）の印刷ステップの前または後に、薄膜シートを湿潤させる湿潤ステップを付加してもよい。さらに、（６）の薄膜印刷体送り出しステップの前に、機能性材料１７０を印刷された生体適合性を有する薄膜１２０を、所望の形状にカットするカットステップを設けてもよい。
【００８０】
以上からわかるように、本実施の形態の印刷装置１００の構成により、メイクアップを支援する薄膜印刷体１６０を容易に得ることが可能となる。
【００８１】
本実施の形態によって、薄膜印刷体１６０の機能性材料１７０の印刷面は、肌に転写する側の面とは、必ず反対側になるため、生体への印刷剤による影響の心配が不要となる。すなわち、生体適合性のある薄膜側のみが人体に転写されるため、化粧剤等の機能性材料１７０に対し、肌の弱いユーザーにとっても、化粧剤等に限定されない自由なメイクが容易に実施できる。また、治療後に残るアザが完治するまで低負荷なこの薄膜印刷体１６０をアザの上に転写すれば、治療によりアザが気になるユーザーにとっても、日常生活を心豊かに過ごすアイテムとなる。
【００８２】
さらに、薄膜シート１１０が、機能性材料１７０の印刷前あるいは印刷後に、湿潤を施されているので、薄膜印刷体１６０を、第１の支持体１３０から第２の支持体１５０への転載時に、第１の支持体１３０から少ない力で剥がすことでできるので、転載部１０６での転載を確実かつ安全に行うことができ、薄くてデリケートな薄膜への印刷と、肌への転写までの確実な取り扱いが可能となる。
【００８３】
なお、本発明は、上述した実施の形態に限定されるものでなく、本発明の意図する範囲において、適宜変形等することが可能なことはいうまでもない。
【００８４】
本発明の構成により、メイク情報にもとづいた化粧剤等の機能性材料を生体適合性を有する薄膜媒体に印刷し、かかる薄膜媒体を人体に転写することで、個人にカスタマイズされたメイクや、流行のメイクを簡便に人体に施すことができる。
【００８５】
それによって、特にメイクについての十分な知識や技術を有さない人や、メイクに時間を取れない人にとっても、独力で、簡単かつ迅速に、美しくて安全なメイクを施すことができる。
【産業上の利用可能性】
【００８６】
本発明にかかる印刷装置は、メイク情報を生体適合性を有する薄膜媒体に印刷することで、広くメイクアップを支援することができる。さらに、美容用途だけでなく、医療分野においても、生体適合性を有する薄膜に利用目的に沿った成分を担持（印刷）させることで、生体に適合した機能性薄膜を、容易に生成することができる。
【符号の説明】
【００８７】
１００    印刷装置
１０１    薄膜シート送り込み部
１０２    湿潤部
１０３    制御部
１０４    印刷部
１０５    第２の支持体送り込み部
１０６    転載部
１０７    薄膜印刷体送り出し部
１１０    薄膜シート
１２０    生体適合性を有する薄膜
１３０    第１の支持体
１４０    メイク情報端末
１５０    第２の支持体
１６０    薄膜印刷体
１７０    機能性材料
【要約】
生体適合性を有する薄膜と第１の支持体から構成される薄膜シートを印刷する装置の内部に送り込む薄膜シート送り込み部と、生体適合性を有する薄膜に機能性材料を印刷するためのメイク情報を読み込む制御部と、制御部からのメイク信号にもとづいて、メイク情報に対応した機能性材料を、生体適合性を有する薄膜の上に印刷する印刷部と、第２の支持体を装置の内部に送り込む第２の支持体送り込み部と、印刷部で機能性材料を印刷された生体適合性を有する薄膜である薄膜印刷体を、第１の支持体から第２の支持体に転載する転載部と、転載された薄膜印刷体を装置の外部に送り出す薄膜印刷体送り出し部と、を備える生体適合性を有する薄膜に機能性材料を印刷する装置である。かかる構成によって、メイクについての十分な知識や技術を有さない人や、メイクに時間を取れない人にとっても、簡単、迅速かつ安全にメイクを施すことができる。【図１】
0005671708.tif 000002
【図２】
0005671708.tif 000003
【図３】
0005671708.tif 000004
【図４Ａ】
0005671708.tif 000005
【図４Ｂ】
0005671708.tif 000006
【図４Ｃ】
0005671708.tif 000007
【図４Ｄ】
0005671708.tif 000008
【図４Ｅ】
0005671708.tif 000009